(57)【要約】【課題】人の興味を引きやすく、観光資源として活用可能な水質浄化装置を提供する。【解決手段】本体１が水面に浮く浮力を有する。吸込管２が本体１から下方に伸びるよう本体１に設けられて下部に水の吸込口２１を有する。上方噴出管３Ａおよび複数の側方噴出管３Ｂが本体１に設けられ、本体１の外側に水を噴出する噴出口３１を有する。浄水部４が浄水機能を有し、吸込口２１と噴出口３１との間に設けられる。ポンプ５が本体１に収容され、吸込口２１から水を吸い上げて各噴出口３１から噴出可能に吸込管２および噴出管３に接続されている。複数の弁６が各噴出口３１を動力により開閉可能に設けられている。制御部７が各弁６の開閉動作を制御可能である。【選択図】図１
2019166461.tif 000002
【特許請求の範囲】
【請求項１】
本体と吸込管と複数の噴出管と浄水部とポンプと複数の弁と制御部とを有し、
前記本体は水面に浮く浮力を有し、
前記吸込管は前記本体から下方に伸びるよう前記本体に設けられて下部に水の吸込口を有し、
各噴出管は前記本体に設けられて前記本体の外側に水を噴出する噴出口を有し、
前記浄水部は浄水機能を有し前記吸込口と前記噴出口との間に設けられ、
前記ポンプは前記本体に収容され、前記吸込口から水を吸い上げて各噴出口から噴出可能に前記吸込管および前記噴出管に接続され、
各弁は各噴出口を動力により開閉可能に設けられ、
前記制御部は各弁の開閉動作を制御可能に設けられていることを、
特徴とする水質浄化装置。
【請求項２】
前記複数の噴出管は上方噴出管と側方噴出管とを有し、前記上方噴出管は前記本体から上方に伸びて前記噴出口を上端に有し、前記側方噴出管は前記本体の内部に設けられて前記本体の側面に前記噴出口を有し、前記本体は前記側方噴出管の前記噴出口から噴出される水の圧力で移動可能に設けられていることを、特徴とする請求項１記載の水質浄化装置。
【請求項３】
前記本体は前記上方噴出管の前記噴出口から噴出される水を受ける上面に太陽電池パネルを有し、前記本体の内部に前記太陽電池パネルにより発電された電気を蓄電する蓄電池を有し、各弁は電磁弁から成り、前記ポンプは電動ポンプから成り、各弁と前記ポンプと前記制御部は前記蓄電池からの電力により作動する構成を有することを、特徴とする請求項２記載の水質浄化装置。
【請求項４】
前記本体は前記吸込管を上方に伸ばして前記吸込口から空気を吸い込み、前記上方噴出管を下方に伸ばして前記上方噴出管の前記噴出口から空気を噴出させるよう上下反転させて水面に浮かせることが可能な構成を有することを、特徴とする請求項２または３記載の水質浄化装置。
【請求項５】
前記本体は内部に浮きとレールと移動装置とを有し、
前記本体は前記浮きにより水面に浮く浮力を有し、
前記レールは前記本体の下部側内面、側部側内面および上部側内面に沿って連続するよう設けられ、
前記移動装置は前記レールに沿って動力により移動可能な錘であって、前記下部側内面に位置するとき前記吸込管を下方に伸ばした状態で前記本体を保ち、前記側部側内面に位置するとき前記吸込管を側方に伸ばした状態に前記本体を倒し、前記上部側内面に位置するとき前記吸込管を上方に伸ばした状態で前記本体を保つ構成を有することを、
特徴とする請求項４記載の水質浄化装置。
【発明の詳細な説明】
【技術分野】
【０００１】
本発明は、湖沼を浄化するのに適した水質浄化装置に関する。
【背景技術】
【０００２】
従来の水質浄化装置として、湖沼などの水面に浮かべて使用し、ポンプで吸込管の吸込口から水を吸い上げて噴水管の噴出口から噴出し、噴出口から噴出される水を曝気により浄化するとともに、噴水として楽しむものが本発明者により開発されている（例えば、特許文献１参照）。
【先行技術文献】
【特許文献】
【０００３】
【特許文献１】特許第３８６８１０８号
【発明の概要】
【発明が解決しようとする課題】
【０００４】
しかしながら、特許文献１に記載の水質浄化装置は、噴水管から水を噴出する単調な動作のため、湖沼を訪れる人の興味を引きにくいという課題があった。
【０００５】
本発明は、このような課題に着目してなされたもので、人の興味を引きやすく、観光資源として活用可能な水質浄化装置を提供することを目的とする。
【課題を解決するための手段】
【０００６】
上記目的を達成するために、本発明に係る水質浄化装置は、本体と吸込管と複数の噴出管と浄水部とポンプと複数の弁と制御部とを有し、前記本体は水面に浮く浮力を有し、前記吸込管は前記本体から下方に伸びるよう前記本体に設けられて下部に水の吸込口を有し、各噴出管は前記本体に設けられて前記本体の外側に水を噴出する噴出口を有し、前記浄水部は浄水機能を有し前記吸込口と前記噴出口との間に設けられ、前記ポンプは前記本体に収容され、前記吸込口から水を吸い上げて各噴出口から噴出可能に前記吸込管および前記噴出管に接続され、各弁は各噴出口を動力により開閉可能に設けられ、前記制御部は各弁の開閉動作を制御可能に設けられていることを、特徴とする。
【０００７】
本発明に係る水質浄化装置は、湖沼などの水面に浮かべて使用する。ポンプにより吸込管の吸込口から吸い上げられた水は、浄水部で浄化され、複数の噴出管の噴出口から噴出される。噴出口から噴出された水は、さらに曝気により浄化されるとともに、噴水として楽しむことができる。複数の噴出管の噴出口は制御部で制御された弁によりそれぞれ開閉されるので、各噴出口から水が噴出されるタイミングを変化させることができる。変化する噴水は、人の興味を引きやすく、観光資源として活用することができる。
【０００８】
本発明に係る水質浄化装置において、前記複数の噴出管は上方噴出管と側方噴出管とを有し、前記上方噴出管は前記本体から上方に伸びて前記噴出口を上端に有し、前記側方噴出管は前記本体の内部に設けられて前記本体の側面に前記噴出口を有し、前記本体は前記側方噴出管の前記噴出口から噴出される水の圧力で移動可能に設けられていることが好ましい。
この場合、上方噴出管の噴出口から上方で噴出される水および側方噴出管の噴出口から側方に噴出される水の変化を楽しむことができる。側方噴出管の噴出口から噴出される水の圧力を利用して、移動することもできる。
【０００９】
本発明に係る水質浄化装置において、前記本体は前記上方噴出管の前記噴出口から噴出される水を受ける上面に太陽電池パネルを有し、前記本体の内部に前記太陽電池パネルにより発電された電気を蓄電する蓄電池を有し、各弁は電磁弁から成り、前記ポンプは電動ポンプから成り、各弁と前記ポンプと前記制御部は前記蓄電池からの電力により作動する構成を有することが好ましい。
【００１０】
この場合、太陽電池パネルで発電し、蓄電池により蓄電した電力により各弁とポンプと制御部とを作動させることができる。太陽電池パネルは、上方噴出管の噴出口から噴出される水により洗浄することができるので、表面の汚れによる発電効果の低下を防ぐことができる。
【００１１】
本発明に係る水質浄化装置において、前記側方噴出管は前記噴出口から噴出される水の上下方向角度および水平方向角度を動力により調整可能であることが好ましい。
この場合、側方噴出管の噴出口から噴出される水を上下方向および水平方向に変化させて、人の興味を引きやすくし、観光資源として活用することができる。
【００１２】
本発明に係る水質浄化装置において、前記本体は前記吸込管を上方に伸ばして前記吸込口から空気を吸い込み、前記上方噴出管を下方に伸ばして前記上方噴出管の前記噴出口から空気を噴出させるよう上下反転させて水面に浮かせることが可能な構成を有することが好ましい。
この場合、上方噴出管の噴出口から水中に空気を噴出して曝気することができる。
【００１３】
本発明に係る水質浄化装置において、前記本体は内部に浮きとレールと移動装置とを有し、前記本体は前記浮きにより水面に浮く浮力を有し、前記レールは前記本体の下部側内面、側部側内面および上部側内面に沿って連続するよう設けられ、前記移動装置は前記レールに沿って動力により移動可能な錘であって、前記下部側内面に位置するとき前記吸込管を下方に伸ばした状態で前記本体を保ち、前記側部側内面に位置するとき前記吸込管を側方に伸ばした状態に前記本体を倒し、前記上部側内面に位置するとき前記吸込管を上方に伸ばした状態で前記本体を保つ構成を有することが好ましい。
【００１４】
この場合、下方に位置する吸込管の吸込口から水を吸い上げて噴出管の噴出口から噴出させるとき、移動装置を下部側内面に位置付けておく。上下反転させて上方に位置する吸込管の吸込口から空気を吸い込み、下方に位置する上方噴出管の噴出口から水中に空気を噴出させるとき、移動装置をレールに沿って移動させて上部側内面に位置付ける。これにより、本体の上下反転を容易に行うことができる。
【発明の効果】
【００１５】
本発明によれば、人の興味を引きやすく、観光資源として活用可能な水質浄化装置を提供することができる。
【図面の簡単な説明】
【００１６】
【図１】本発明の実施の形態の水質浄化装置を示す縦断面図である。
【図２】図１の水質浄化装置を示す側面図である。
【図３】図１の水質浄化装置の側方噴出管の配置を示す、浮きを除いた横断面図である。
【発明を実施するための形態】
【００１７】
以下、図面に基づき、本発明の実施の形態について説明する。
図１〜図３は、本発明の実施の形態の水質浄化装置を示している。
水質浄化装置は、本体１と吸込管２と複数の噴出管３と浄水部４とポンプ５と複数の弁６と制御部７と受信機８とＧＰＳ発信機９と発電機１０と蓄電池１１とを有している。
【００１８】
本体１は、円筒状であって内部に浮き１２を備え、水面Wに浮く浮力を有している。吸込管２は、本体１から下方に伸びるよう本体１に設けられて下部に水の吸込口２１を有している。複数の噴出管３は、１本の上方噴出管３Ａと複数本（一例で８本）の側方噴出管３Ｂとから成っている。上方噴出管３Ａは、本体１から上方に伸びて噴出口３１を上端に有している。各側方噴出管３Ｂは、本体１の内部に設けられて本体１の側面に噴出口３１を有している。各側方噴出管３Ｂの噴出口３１は、本体１の側面に等間隔で配置され、一例で本体１の中心から放射状に８方向に向けられている。上方噴出管３Ａおよび各側方噴出管３Ｂは、動力により伸縮可能であることが好ましい。本体１は、上方噴出管３Ａの噴出口３１から噴出される水を受ける上面に太陽電池パネル１３を有している。
【００１９】
本体１は、内部にレール１４と移動装置１５とを有している。レール１４は、本体１の下部側内面１ａ、側部側内面１ｂおよび上部側内面１ｃに沿って連続するよう設けられている。移動装置１５は、車輪を有し、レール１４に沿って動力により移動可能な錘から成る。移動装置１５は、下部側内面１ａに位置するとき吸込管２を下方に伸ばした状態で本体１を保ち、側部側内面１ｂに位置するとき吸込管２を側方に伸ばした状態に本体１を倒し、上部側内面１ｃに位置するとき吸込管２を上方に伸ばした状態で本体１を保つ構成を有している。この構成により、本体１は、吸込管２を上方に伸ばして吸込口２１から空気を吸い込み、上方噴出管３Ａを下方に伸ばして上方噴出管３Ａの噴出口３１から空気を噴出させるよう上下反転させて水面Wに浮かせることが可能となっている。
【００２０】
浄水部４は、浄水機能を有し、吸込口２１と噴出口３１との間に設けられている。浄水部４は、濾材から成り、湖沼の有機物を分解するEM菌などの好気性微生物を繁殖させてある。ポンプ５は、電動ポンプから成り、本体１の中央に収容され、吸込管２および噴出管３に接続されている。ポンプ５は、吸込管２の吸込口２１から水を吸い上げて、吸い上げた水を上方噴出管３Ａおよび各側方噴出管３Ｂの各噴出口３１から噴出可能である。本体１は、進行方向の弁６を閉じることにより、側方噴出管３Ｂの噴出口３１から噴出される水の圧力で移動可能である。
【００２１】
各弁６は、電磁弁から成り、上方噴出管３Ａの下端および各側方噴出管３Ｂの内側端に設けられている。各弁６は、各噴出口３１を動力により開閉可能である。制御部７は、各弁６の開閉動作を制御可能に本体１の内部に設けられている。
【００２２】
受信機８は、本体１の内部に設けられてリモートコントローラからの操作信号を受信し、制御部７に送信する構成を有している。制御部７は、操作信号に応じてポンプ５、弁６、移動装置１５を作動させるようになっている。ＧＰＳ発信機９は、ＧＰＳ位置情報を発信している。リモートコントローラは、ＧＰＳ発信機９からのＧＰＳ位置情報を受信して、その位置を追跡可能となっている。
【００２３】
発電機１０は、エンジン発電機から成り、本体１の内部に設けられている。蓄電池１１は、本体１の内部に設けられ、太陽電池パネル１３により発電された電気および発電機１０により発電された電気を蓄電するようになっている。移動装置１５、ポンプ５、弁６、制御部７、受信機８およびＧＰＳ発信機９は、蓄電池１１からの電力により作動する構成を有している。本体１の内部には、バランス用錘１６が設けられている。
水質浄化装置は、さらにゼンマイを１つまたは２つ以上備えていてもよい。その場合、太陽電池パネル１３により発電された電力によりゼンマイを巻き上げ、ゼンマイに蓄えた動力により発電機１０を駆動させることができる。ゼンマイが２つ以上の場合、それらを交互に使用することができる。
【００２４】
水質浄化装置は、図２に示すように、湖沼などの水面Wに浮かべて使用する。リモートコントローラから操作信号を送信して、ポンプ５を作動させる。ポンプ５により吸込管２の吸込口２１から吸い上げられた水は、浄水部４で浄化され、上方噴出管３Ａの噴出口３１から上方に噴出され、側方噴出管３Ｂの噴出口３１から側方に噴出される。噴出口３１から噴出された水は、さらに曝気により浄化されるとともに、噴水として楽しむことができる。特に、上方噴出管３Ａの噴出口３１から上方で噴出される水および側方噴出管３Ｂの噴出口３１から側方に噴出される水の変化を楽しむことができる。
【００２５】
水質浄化装置は、側方噴出管３Ｂの噴出口３１から噴出される水の圧力を利用して、移動することもできる。リモートコントローラから操作信号を送信して、本体１の進行方向の弁６を閉じることにより、側方噴出管３Ｂの噴出口３１から噴出される水の圧力で進行方向に移動させることができる。これにより、水質浄化装置を移動させて、湖沼の中央付近にＥＭ菌を供給することができる。また、本体１に障害物センサを取り付け、障害物を回避して自動運転により２４時間移動可能にしてもよい。
【００２６】
本体１を上下反転させて水面Wに浮かせることもできる。この場合、下方に位置する吸込管２の吸込口２１から水を吸い上げて噴出管３の噴出口３１から噴出させるとき、移動装置１５を下部側内面１ａに位置付けておく。上下反転させて上方に位置する吸込管２の吸込口２１から空気を吸い込み、下方に位置する上方噴出管３Ａの噴出口３１から水中に空気を噴出させるとき、リモートコントローラから操作信号を送信して、移動装置１５をレール１４に沿って移動させて上部側内面１ｃに位置付ける。これにより、本体１の上下反転を容易に行うことができる。本体１を上下反転させることにより、上方噴出管３Ａの噴出口３１から水中に空気を噴出して曝気することもできる。上方噴出管３Ａを湖沼底部まで伸ばした場合、湖沼底部の汚泥を撹拌することも可能である。
【００２７】
複数の噴出管３の噴出口３１は制御部７で制御された弁６によりそれぞれ開閉されるので、リモートコントローラから操作信号を送信して、各噴出口３１から水が噴出されるタイミングを変化させることができる。変化する噴水は、人の興味を引きやすく、観光資源として活用することができる。
【００２８】
各弁６、ポンプ５および制御部７は、太陽電池パネル１３で発電された電気および発電機１０で発電された電気を蓄電地により蓄電し、その蓄電した電力により作動することができる。太陽電池パネル１３は、上方噴出管３Ａの噴出口３１から噴出される水により洗浄することができるので、表面の汚れによる発電効果の低下を防ぐことができる。
【符号の説明】
【００２９】
１  本体
１ａ  下部側内面
１ｂ  側部側内面
１ｃ  上部側内面
２  吸込管
３  噴出管
３Ａ  上方噴出管
３Ｂ  側方噴出管
４  浄水部
５  ポンプ
６  弁
７  制御部
８  受信機
９  ＧＰＳ発信機
１０  発電機
１１  蓄電池
１２  浮き
１３  太陽電池パネル
１４  レール
１５  移動装置
１６  バランス用錘
２１  吸込口
３１  噴出口
【図１】
2019166461.tif 000003
【図２】
2019166461.tif 000004
【図３】
2019166461.tif 000005
【手続補正書】
【提出日】平成30年8月11日(2018.8.11)
【手続補正１】
【補正対象書類名】特許請求の範囲
【補正対象項目名】全文
【補正方法】変更
【補正の内容】
【特許請求の範囲】
【請求項１】
本体と吸込管と複数の噴出管と浄水部とポンプと複数の弁と制御部とを有し、
前記本体は水面に浮く浮力を有し、
前記吸込管は前記本体から下方に伸びるよう前記本体に設けられて下部に水の吸込口を有し、
前記複数の噴出管は上方噴出管と側方噴出管とを有し、前記上方噴出管は前記本体から上方に伸びて前記本体の外側に水を噴出する噴出口を上端に有し、前記側方噴出管は前記本体の内部に設けられて前記本体の側面に前記本体の外側に水を噴出する噴出口を有し、前記本体は前記側方噴出管の前記噴出口から噴出される水の圧力で移動可能に設けられ、
前記浄水部は浄水機能を有し前記吸込口と前記噴出口との間に設けられ、
前記ポンプは前記本体に収容され、前記吸込口から水を吸い上げて各噴出口から噴出可能に前記吸込管および前記噴出管に接続され、
各弁は各噴出口を動力により開閉可能に設けられ、
前記制御部は各弁の開閉動作を制御可能に設けられ、
前記本体は前記吸込管を上方に伸ばして前記吸込口から空気を吸い込み、前記上方噴出管を下方に伸ばして前記上方噴出管の前記噴出口から空気を噴出させるよう上下反転させて水面に浮かせることが可能な構成を有していることを、
特徴とする水質浄化装置。
【請求項２】
前記本体は前記上方噴出管の前記噴出口から噴出される水を受ける上面に太陽電池パネルを有し、前記本体の内部に前記太陽電池パネルにより発電された電気を蓄電する蓄電池を有し、各弁は電磁弁から成り、前記ポンプは電動ポンプから成り、各弁と前記ポンプと前記制御部は前記蓄電池からの電力により作動する構成を有することを、特徴とする請求項１記載の水質浄化装置。
【請求項３】
前記本体は内部に浮きとレールと移動装置とを有し、
前記本体は前記浮きにより水面に浮く浮力を有し、
前記レールは前記本体の下部側内面、側部側内面および上部側内面に沿って連続するよう設けられ、
前記移動装置は前記レールに沿って動力により移動可能な錘であって、前記下部側内面に位置するとき前記吸込管を下方に伸ばした状態で前記本体を保ち、前記側部側内面に位置するとき前記吸込管を側方に伸ばした状態に前記本体を倒し、前記上部側内面に位置するとき前記吸込管を上方に伸ばした状態で前記本体を保つ構成を有することを、
特徴とする請求項１または２記載の水質浄化装置。
【手続補正２】
【補正対象書類名】明細書
【補正対象項目名】０００６
【補正方法】変更
【補正の内容】
【０００６】
上記目的を達成するために、本発明に係る水質浄化装置は、本体と吸込管と複数の噴出管と浄水部とポンプと複数の弁と制御部とを有し、前記本体は水面に浮く浮力を有し、前記吸込管は前記本体から下方に伸びるよう前記本体に設けられて下部に水の吸込口を有し、前記複数の噴出管は上方噴出管と側方噴出管とを有し、前記上方噴出管は前記本体から上方に伸びて前記本体の外側に水を噴出する噴出口を上端に有し、前記側方噴出管は前記本体の内部に設けられて前記本体の側面に前記本体の外側に水を噴出する噴出口を有し、前記本体は前記側方噴出管の前記噴出口から噴出される水の圧力で移動可能に設けられ、前記浄水部は浄水機能を有し前記吸込口と前記噴出口との間に設けられ、前記ポンプは前記本体に収容され、前記吸込口から水を吸い上げて各噴出口から噴出可能に前記吸込管および前記噴出管に接続され、各弁は各噴出口を動力により開閉可能に設けられ、前記制御部は各弁の開閉動作を制御可能に設けられ、前記本体は前記吸込管を上方に伸ばして前記吸込口から空気を吸い込み、前記上方噴出管を下方に伸ばして前記上方噴出管の前記噴出口から空気を噴出させるよう上下反転させて水面に浮かせることが可能な構成を有していることを、特徴とする。
【手続補正３】
【補正対象書類名】明細書
【補正対象項目名】０００８
【補正方法】変更
【補正の内容】
【０００８】
本発明に係る水質浄化装置において、前記複数の噴出管は上方噴出管と側方噴出管とを有し、前記上方噴出管は前記本体から上方に伸びて前記噴出口を上端に有し、前記側方噴出管は前記本体の内部に設けられて前記本体の側面に前記噴出口を有し、前記本体は前記側方噴出管の前記噴出口から噴出される水の圧力で移動可能に設けられている。このため、上方噴出管の噴出口から上方で噴出される水および側方噴出管の噴出口から側方に噴出される水の変化を楽しむことができる。側方噴出管の噴出口から噴出される水の圧力を利用して、移動することもできる。
【手続補正４】
【補正対象書類名】明細書
【補正対象項目名】００１２
【補正方法】変更
【補正の内容】
【００１２】
本発明に係る水質浄化装置において、前記本体は前記吸込管を上方に伸ばして前記吸込口から空気を吸い込み、前記上方噴出管を下方に伸ばして前記上方噴出管の前記噴出口から空気を噴出させるよう上下反転させて水面に浮かせることが可能な構成を有する。このため、上方噴出管の噴出口から水中に空気を噴出して曝気することができる。